(57)【要約】【課題】ノッチの隣の隣接領域を有効利用することができる情報処理方法、情報処理デバイス及び記憶媒体を提供すること。【解決手段】情報処理デバイスに一体に結合されて当該情報処理デバイスのノッチに隣接して配置されたノッチ・タスクバーにおいて、アクションを実行するための指示を受信することと、プロセッサを使用して、アクションを実行することとを含む。【選択図】図３
2020068034.tif 000002
【特許請求の範囲】
【請求項１】
情報処理デバイスに一体に結合されて前記情報処理デバイスのノッチに隣接して配置されたノッチ・タスクバーにおいて、アクションを実行するための指示を受信することと、
プロセッサを使用して、前記アクションを実行することと
を含む、情報処理方法。
【請求項２】
前記ノッチ・タスクバーが少なくとも２つの部分を備え、前記少なくとも２つの部分の一方の部分が通知表示領域に関連付けられ、かつ前記少なくとも２つの部分の他方の部分が設定調整領域に関連付けられる、請求項１に記載の情報処理方法。
【請求項３】
前記ノッチ・タスクバーが、前記ノッチの左側および右側からそれぞれ前記情報処理デバイスのディスプレイ画面の左縁部および右縁部に水平に延びる、請求項１に記載の情報処理方法。
【請求項４】
前記指示を受信したことに応答して前記ノッチ・タスクバーの外観を調整することをさらに含む、請求項１に記載の情報処理方法。
【請求項５】
前記指示がユーザコマンド入力に関連付けられる、請求項１に記載の情報処理方法。
【請求項６】
前記ユーザコマンド入力が、前記ノッチ・タスクバーに与えられたユーザタッチ入力を含む、請求項５に記載の情報処理方法。
【請求項７】
前記受信することは、前記情報処理デバイスがオフ状態にあることを特定したことに応答して前記ユーザコマンド入力を受信することを含む、請求項５に記載の情報処理方法。
【請求項８】
前記ノッチ・タスクバーが、前記情報処理デバイスのオペレーティングシステムから独立して動作する、請求項１に記載の情報処理方法。
【請求項９】
前記指示が通知に関連付けられる、請求項１に記載の情報処理方法。
【請求項１０】
前記アクションが、前記ノッチ・タスクバーの一部分に前記通知を表示することを含む、請求項９に記載の情報処理方法。
【請求項１１】
情報処理デバイスに一体に結合されて前記情報処理デバイスのノッチに隣接して配置されたノッチ・タスクバーと、
プロセッサと、
アクションを実行するための指示を前記ノッチ・タスクバーにおいて受信して、前記ノッチ・タスクバーを使用して前記アクションを実行するように前記プロセッサによって実行可能な命令を記憶するメモリデバイスと
を備える、情報処理デバイス。
【請求項１２】
前記ノッチ・タスクバーが少なくとも２つの部分を備え、前記少なくとも２つの部分の一方の部分が通知表示領域に関連付けられ、かつ前記少なくとも２つの部分の他方の部分が設定調整領域に関連付けられる、請求項１１に記載の情報処理デバイス。
【請求項１３】
前記ノッチ・タスクバーが、前記ノッチの左側および右側からそれぞれ前記情報処理デバイスのディスプレイ画面の左縁部および右縁部に水平に延びる、請求項１１に記載の情報処理デバイス。
【請求項１４】
前記ノッチ・タスクバーが、前記情報処理デバイスのオペレーティングシステムから独立して動作する、請求項１１に記載の情報処理デバイス。
【請求項１５】
前記命令がさらに、前記指示を受信したことに応答して前記ノッチ・タスクバーの外観を調整するように前記プロセッサによって実行可能である、請求項１１に記載の情報処理デバイス。
【請求項１６】
前記指示がユーザコマンド入力に関連付けられる、請求項１１に記載の情報処理デバイス。
【請求項１７】
前記ユーザコマンド入力が、前記ノッチ・タスクバーに与えられたユーザタッチ入力を含む、請求項１６に記載の情報処理デバイス。
【請求項１８】
前記指示が通知に関連付けられる、請求項１１に記載の情報処理デバイス。
【請求項１９】
前記アクションが、前記ノッチ・タスクバーの一部分に前記通知を表示することを含む、請求項１８に記載の情報処理デバイス。
【請求項２０】
プロセッサによって実行可能なコードであって、ノッチ・タスクバーによってアクションを実行するための指示を受信するコードと、前記ノッチ・タスクバーにおいて前記アクションを実行するコードとを含む、前記コードを記憶する記憶デバイスを備える、記憶媒体。
【発明の詳細な説明】
【技術分野】
【０００１】
本発明は、情報処理デバイスに一体に結合されて当該情報処理デバイスのノッチに隣接して配置されたノッチ・タスクバーに関する。
【背景技術】
【０００２】
例えば、スマートフォン、タブレットデバイス、ノート型ＰＣおよびパーソナルコンピュータなどの、情報処理デバイス（「デバイス」）におけるベゼルの狭幅化の傾向が強まっている。この傾向に伴って、ＬＣＤ供給業者は、ディスプレイ画面の有効領域に入り込む方式で一体化されたカメラを備えたパネルを設計している。埋め込み型ベゼル部分を備えたパネルは、ベゼルのノッチ部分がカメラおよび／または１つまたは複数の他のセンサを備える、切欠き付きディスプレイパネルとして知られている。
【先行技術文献】
【特許文献】
【０００３】
【特許文献１】特開２０１９−１６８６８１号公報
【発明の概要】
【発明が解決しようとする課題】
【０００４】
技術が進歩するにつれて、ディスプレイ画面のベゼルが薄型化し続けている。この傾向の当然の結果として、ユーザが１画面上により多くのコンテンツを可視化することを可能にする表示部分の面積が増加する。しかしながら、ベゼルの小さな大きさによって、ベゼル内に従来埋め込まれていた重要かつ有用なセンサ（例えば、カメラ、光センサ、他のセンサなど）を含めることが困難になる。この問題の解決策は、ベゼルの小さな部分（例えば、上部ベゼルの中央部分など）をディスプレイ画面の有効領域内まで拡張することであった。この拡張されたベゼル部分は、「ノッチ」として知られており（特許文献１参照）、概して前述のセンサの１つまたは複数を収容する。
【０００５】
ノッチはディスプレイの有効領域内に延びるので、ノッチに直接隣接する領域は、画面上に既存のコンテンツを表示する以外には従来使用されていなかった。
【０００６】
本発明は、上記に鑑みてなされたものであって、ノッチの隣の隣接領域を有効利用することができる情報処理方法、情報処理デバイス及び記憶媒体を提供することを目的とする。
【課題を解決するための手段】
【０００７】
要約すると、一態様は、情報処理デバイスに一体に結合されて当該情報処理デバイスのノッチに隣接して配置されたノッチ・タスクバーにおいて、アクションを実行するための指示を受信することと、プロセッサを使用して、アクションを実行することとを含む、情報処理方法を提供する。
【０００８】
別の態様は、情報処理デバイスに一体に結合されて当該情報処理デバイスのノッチに隣接して配置されたノッチ・タスクバーと、プロセッサと、アクションを実行するための指示をノッチ・タスクバーにおいて受信して、ノッチ・タスクバーを使用してアクションを実行するようにプロセッサによって実行可能な命令を記憶するメモリデバイスとを備える、情報処理デバイスを提供する。
【０００９】
さらなる態様は、プロセッサによって実行可能なコードであって、ノッチ・タスクバーによるアクションを実行するための指示を受信するコードと、ノッチ・タスクバーにおいてアクションを実行するコードとを含む、コードを記憶する記憶デバイスを備える、記憶媒体を提供する。
【００１０】
上記は、概略であり、したがって、簡略化、一般化、および詳細の省略を含むこともある。それゆえ、当業者は、前述の概略が例示的なものにすぎず、決して限定を意図するものではないことを認識するであろう。
【００１１】
実施形態の他のおよびさらなる特徴ならびに利点と共に、実施形態を最も良く理解するために、添付の図面と併せて解釈される、以下の説明が参照される。本発明の範囲は、添付の特許請求の範囲において定められる。
【発明の効果】
【００１２】
本発明の上記態様によれば、ノッチの隣の隣接領域を有効利用することができる。
【図面の簡単な説明】
【００１３】
【図１】図１は、情報処理デバイス回路の例を図示する図である。
【図２】図２は、情報処理デバイス回路の別の例を図示する図である。
【図３】図３は、タスクを実行して通知を表示するためにノッチ・タスクバーを利用する例示的な方法を図示する図である。
【図４】図４は、ノッチを有する従来のノート型ＰＣを図示する図である。
【図５】図５は、実施形態によるノッチ・タスクバーを図示する図である。
【図６】図６は、実施形態によるノッチ・タスクバーを図示する図である。
【発明を実施するための形態】
【００１４】
本明細書において概して図で説明され図示される、実施形態の構成要素が、説明した例示的な実施形態に加えて、多種多様な異なる構成で配設され設計され得ることは容易に理解されるであろう。したがって、図に表される、例示的な実施形態の以下のより詳細な説明は、特許請求の範囲に記載される、実施形態の範囲を限定するように意図されたものではなく、例示的な実施形態の代表的なものにすぎない。
【００１５】
本明細書の全体にわたる「一実施形態」または「実施形態」（またはその他）への言及は、その実施形態に関連して説明される特定の特徴、構造、または特性が、少なくとも１つの実施形態に含まれることを意味する。したがって、本明細書全体を通して種々の箇所で「一実施形態において」または「実施形態において」またはその他の表現が見られるが、必ずしもすべてが同一の実施形態について言及しているわけではない。
【００１６】
さらに、説明する特徴、構造、または特性は、１つまたは複数の実施形態においてあらゆる好適な方式で組み合わされ得る。以下の説明では、実施形態の完全な理解を与えるために数多くの具体的な詳細が提供される。しかしながら、当業者であれば、１つもしくは複数の具体的な詳細なしに、または他の方法、構成要素、材料などを用いて、種々の実施形態を実施できることを認識するであろう。他の例では、不明瞭になるのを避けるために、周知の構造、材料または動作は詳細に示されていないかまたは説明されていない。
【００１７】
上記したように、ノッチはディスプレイの有効領域内に延びるので、ノッチに直接隣接する領域は、画面上に既存のコンテンツを表示する以外には従来使用されていなかった。それゆえ、この用途での基板となる実施形態の目的は、通知を表示するためのタスクバーとしてノッチの隣の隣接領域を利用することであり、１つまたは複数の設定調整部分およびその他との相互作用を介してユーザがコマンド入力を与えることを可能にする。さらに、このようなタスクバーは、ＯＳ製造業者の設計およびソフトウェア要件の範囲外でタスクバーのカスタム構成を可能にする、基盤となるデバイスオペレーティングシステム（「Operating  System：ＯＳ」）から独立してもよい。
【００１８】
よって、実施形態は、ノッチの周囲の空き空間に配置されたノッチ・タスクバーを提供する。実施形態では、デバイスは、デバイスに一体に結合され得るノッチ・タスクバーを備えてもよい。ノッチ・タスクバーは、デバイスのノッチに隣接して配置されてもよい。より詳細には、ノッチ・タスクバーは、表示領域として従来利用されていたノッチの周囲の左右の空間に配置されてもよい。実施形態では、ノッチ・タスクバーは、複数の異なる部分を備えてもよい。例えば、ノッチ・タスクバーの一部分は、アラート通知（例えば、ソーシャルメディア通知、カレンダー通知、他の通知など）を表示するためにだけに使用されてもよい。別の例として、ノッチ・タスクバーの他の部分は、ユーザが相互作用し得る調整ボタン（例えば、音量調整ボタン、画面明るさ調整ボタン、他の調整ボタンなど）を設定するためだけに使用されてもよい。よって、実施形態は、実施形態が後に実行し得るタスク（例えば、設定の調整、通知の表示、別のアクションの実行など）を実行するための指示（例えば、システムまたは別のソースからノッチ・タスクバーに送られた信号、ノッチ・タスクバーなどに直接与えられたユーザ入力など）をノッチ・タスクバーにおいて受信してもよい。実施形態によるノッチ・タスクバーは、それゆえ、ノッチの周囲の従来の空き空間を活用し、ユーザに特別な機能を提供してもよい。
【００１９】
図示の例示的な実施形態は、図を参照することによって最も良く理解されるであろう。以下の説明は、単に例として意図されたものであり、ある特定の例示的な実施形態を簡単に図示している。
【００２０】
スマートフォンおよび／またはタブレットの回路システム１００に関して、種々の他の回路、電気回路、またはコンポーネントが、情報処理デバイスにおいて利用され得るが、図１に図示する例は、例えばタブレットまたは他のモバイルコンピューティングプラットフォームに見られるシステムオンチップ設計を含む。ソフトウェアおよびプロセッサ（複数可）は、単一のチップ１１０に組み込まれる。プロセッサは、当技術分野において周知であるように、内部演算ユニット、レジスタ、キャッシュメモリ、バス、Ｉ／Ｏポートなどを備える。内部バスおよびその他は異なるベンダーに依存するが、基本的にすべての周辺機器（追加のデバイス：１２０）が単一のチップ１１０に取り付けられてもよい。回路システム１００では、プロセッサ、メモリ制御、およびＩ／Ｏコントローラハブがすべて単一のチップ１１０に組み込まれている。また、この種類の回路システム１００は、典型的には、ＳＡＴＡまたはＰＣＩもしくはＬＰＣを使用しない。一般的なインターフェースは、例えば、ＳＤＩＯおよびＩ２Ｃを含む。
【００２１】
電力管理回路（複数可）１３０は、例えば、電源（図示せず）への接続によって再充電され得る、充電式の電池１４０によって、供給される電力を管理する、電池管理ユニット（Battery  Management  Unit：ＢＭＵ）が存在する。少なくとも１つの設計では、チップ１１０などの、単一のチップは、ＢＩＯＳのような機能およびＤＲＡＭメモリを提供するために使用される。
【００２２】
回路システム１００は、典型的には、通信ネットワークおよび無線インターネットデバイス、例えばアクセスポイントなどの、種々のネットワークに接続するためのＷＷＡＮ送受信器１５０およびＷＬＡＮ送受信器１６０のうちの１つまたは複数を含む。追加的に、例えば、カメラなどの画像センサ、マイクロフォンなどの音声キャプチャデバイス、熱センサなどの、追加のデバイス１２０が一般的に含まれる。回路システム１００は、多くの場合、データ入力および表示／レンダリングのための１つまたは複数のタッチスクリーン（タッチ画面／コントローラ）１７０を含む。回路システム１００はまた、典型的には、種々のメモリデバイス、例えばフラッシュメモリ１８０およびＳＤＲＡＭ１９０を含む。
【００２３】
図２は、情報処理デバイス回路、電気回路またはコンポーネントの別の例のブロック図を描いている。図２に描かれている例は、ノースカロライナ州モリスビルのＬｅｎｏｖｏ（ＵＳ）Ｉｎｃ．によって販売されているパーソナルコンピュータのＴＨＩＮＫＰＡＤシリーズなどのコンピューティングシステムに相当し得る。本明細書における説明から明らかであるように、実施形態は、他の特徴または図２に図示する例の特徴のほんの一部を含んでもよい。
【００２４】
図２の例は、製造業者（例えば、ＩＮＴＥＬ、ＡＭＤ、ＡＲＭなど）に応じて異なり得るアーキテクチャを有するいわゆるチップセット２１０（協働する集積回路またはチップのグループ、チップセット）を含む。ＩＮＴＥＬは、米国および他の国におけるＩｎｔｅｌ  Ｃｏｒｐｏｒａｔｉｏｎの登録商標である。ＡＭＤは、米国および他の国におけるＡｄｖａｎｃｅｄ  Ｍｉｃｒｏ  Ｄｅｖｉｃｅｓ，Ｉｎｃ．の登録商標である。ＡＲＭは、米国および他の国におけるＡＲＭ  Ｈｏｌｄｉｎｇｓ  ｐｌｃの未登録商標である。チップセット２１０のアーキテクチャは、コア／メモリ制御２２０と、直接管理インターフェース（Direct  Management  Interface：ＤＭＩ）２４２またはリンクコントローラ２４４を介して情報（例えば、データ、信号、コマンドなど）を交換するＩ／Ｏコントローラハブ２５０とを含む。図２では、ＤＭＩ２４２は、チップ間インターフェース（「ノースブリッジ」と「サウスブリッジ」との間のリンクと称されることもある）である。コア／メモリ制御２２０は、１つまたは複数のプロセッサ２２２（例えば、シングルコアまたはマルチコア）と、フロントサイドバス（Front  Side  Bus：ＦＳＢ）２２４を介して情報を交換するメモリコントローラハブ２２６とを備え、従来の「ノースブリッジ」型アーキテクチャに取って代わるチップ内にコア／メモリ制御２２０のコンポーネントが集積され得ることに留意されたい。１つまたは複数のプロセッサ２２２は、当技術分野において周知であるように、内部演算ユニット、レジスタ、キャッシュメモリ、バス、Ｉ／Ｏポートなどを備える。
【００２５】
図２では、メモリコントローラハブ２２６は、（例えば、「システムメモリ」または「メモリ」と称され得るある種類のＲＡＭへのサポートを提供するために）メモリ２４０とインターフェースをとる。メモリコントローラハブ２２６は、ディスプレイデバイス２９２（例えば、ＣＲＴ、フラットパネル、タッチスクリーンなど）用の低電圧差動信号（Low  Voltage  Differential  Signaling：ＬＶＤＳ）インターフェース２３２をさらに含む。ブロック２３８は、ＬＶＤＳインターフェース２３２を介してサポートされ得るいくつかの技術（例えば、シリアルデジタルビデオ、ＨＤＭＩ（登録商標）／ＤＶＩ、ディスプレイポート）を含む。メモリコントローラハブ２２６はまた、別個のグラフィック２３６をサポートし得るＰＣＩエクスプレスインターフェース（PCI-Express  Interface：ＰＣＩ−Ｅ）２３４を含む。
【００２６】
図２では、Ｉ／Ｏコントローラハブ２５０は、ＳＡＴＡインターフェース２５１（例えば、ＨＤＤ、ＳＤＤ２８０用など）、ＰＣＩ−Ｅインターフェース２５２（例えば、無線接続２８２用）、ＵＳＢインターフェース２５３（例えば、デジタイザ、キーボード、マウス、カメラ、電話、マイクロフォン、ストレージ、他の接続デバイスなどのデバイス２８４用）ネットワークインターフェース２５４（例えば、ＬＡＮ）、ＧＰＩＯインターフェース２５５、ＬＰＣインターフェース２７０（ＡＳＩＣ２７１、ＴＰＭ２７２、スーパーＩ／Ｏ２７３、ファームウェアハブ２７４、ＢＩＯＳサポート２７５、ならびにＲＯＭ２７７、フラッシュ２７８、およびＮＶＲＡＭ２７９などの種々の種類のメモリ２７６用）、電力管理インターフェース２６１、クロックジェネレータインターフェース２６２、音声インターフェース２６３（例えば、スピーカ２９４用）、ＴＣＯインターフェース２６４、システム管理バスインターフェース２６５、ならびに、ＢＩＯＳ２６８とブートコード２９０とを含むことができる、ＳＰＩフラッシュ２６６を含む。Ｉ／Ｏコントローラハブ２５０は、ギガビットイーサネット（登録商標）サポートを含んでもよい。
【００２７】
システムは、電源投入時に、ＳＰＩフラッシュ２６６に記憶されている、ＢＩＯＳ２６８のブートコード２９０を実行し、その後、１つまたは複数のオペレーティングシステムおよびアプリケーションソフトウェア（例えば、システムメモリ２４０に記憶される）の制御下でデータを処理するように構成されてもよい。オペレーティングシステムは、様々な場所のいずれかに記憶され、例えば、ＢＩＯＳ２６８の命令に従ってアクセスされてもよい。本明細書で説明するように、デバイスは、図２のシステムに示す特徴よりも少ないまたは多い特徴を含んでもよい。
【００２８】
情報処理デバイス回路は、例えば図１または図２に概説するように、概してスマートフォン、タブレット、パーソナルコンピュータデバイスおよびノート型ＰＣデバイス、ならびに／またはディスプレイ画面のベゼルにノッチを備える電子デバイスなどのデバイス内で使用されてもよい。例えば、図１に概説した回路は、タブレットまたはスマートフォンの実施形態において実装されてもよく、それに対して、図２に概説した回路は、ノート型ＰＣの実施形態において実装されてもよい。
【００２９】
ここで図３を参照すると、実施形態は、ノッチの周囲の隣接する領域に一体化されたノッチ・タスクバーにおいてアクションを実行するための指示を受信する方法を提示する。３０１では、一実施形態は、デバイスのディスプレイに一体に結合されたノッチ・タスクバーにおいて、タスクを実行するための指示を受信してもよい。本出願の文脈では、ノッチ・タスクバーは、ノッチの左側、ノッチの右側、またはその両方の空間を占有するタスクバーであってもよい。ノッチに隣接する空間は、有効な表示領域として従来使用されていた空間であってもよい。例えば、図４を参照すると、ノッチが４１で図示されている。ノッチ４１は、ディスプレイのベゼルの延在部であってもよく、かつ従来のデバイスの前面ベゼル上に一般的に見られる１つまたは複数のセンサ（例えば、カメラ、光センサ、別のセンサなど）を備えてもよい。実施形態では、ノッチ・タスクバーは、ノッチ４１の左右の空間４２の一方または両方を占有してもよい。
【００３０】
ここで図５を参照すると、ノッチ・タスクバーの例示的な図が提示される。図５に図示する構成では、ノッチ・タスクバー５３は、ノッチ５１に隣接する両方の空間を占有する。しかしながら、この構成は限定的なものではなく、先に述べたように、ノッチ・タスクバー５３が空間のうちの１つのみを占有し得ることに留意することが重要である。追加的に、ノッチ・タスクバーは、図５に図示するように、ディスプレイの側縁部まで全体にわたって延びていなくてもよい。むしろ、いくつかの実施形態（図示せず）では、ノッチ・タスクバーは、ディスプレイの側縁部に至る途中までしか延びず、ノッチ・タスクバーの端部とディスプレイの側部との間に追加の空間を残してもよい。実施形態では、ノッチ・タスクバーの底縁部は、ノッチの底縁部と実質的に面一であってもよい。
【００３１】
実施形態では、ノッチ・タスクバーは、デバイスの基板となるＯＳから独立して動作するが、ＯＳと通信してもよい。別の言い方をすれば、ノッチ・タスクバーは、デバイス自体に固有のものであるが、デバイスによって稼働させるＯＳと互換性のあるハードウェアであってもよい。例えば、ユーザは、ノッチ・タスクバーの一部分にタッチ入力を与えてもよく、かつそれらの入力は、ＯＳによって稼働させているアクティブなアプリケーションと通信してもよい。
【００３２】
実施形態では、ノッチ・タスクバーは、複数の異なる部分で構成されてもよい。部分の各々は、ユーザにある特定の情報を提供してもよく、またはユーザがある特定のタスクを実行することを可能にしてもよい。例えば、再び図５を参照すると、ノッチ・タスクバーの部分５４は、ユーザに通知を提供するためだけに使用されてもよい。本出願の文脈では、通知は、ソーシャルメディア通知（例えば、友達申請、投稿通知など）、通信通知（例えば、受信した電子メール、受信したテキストメッセージなど）、カレンダー通知（例えば、今後の会議またはイベントなど）、およびその他のうちの１つまたは複数であってもよい。
【００３３】
さらに図５を参照すると、他の実施形態では、ノッチ・タスクバーの他の部分５５は、ユーザ入力を受信して対応するタスクを実行するように構成されてもよい。例えば、実施形態では、ノッチ・タスクバーの全体、またはノッチ・タスクバーのある特定の部分は、ユーザ入力を直接受信することが可能であってもよい。例えば、ノッチ・タスクバーの一部またはすべての部分は、ユーザのタッチ入力を受信して処理することが可能であるタッチセンサ式の帯状部であってもよい。実施形態では、これらの相互作用部分は、ユーザが相互作用し得る設定調整ボタン（例えば、音量調整ボタン、画面明るさ調整ボタン、他の調整ボタンなど）を含んでもよい。例えば、ここで図６を参照すると、ユーザ６６が音量スライダ６７とのタッチ相互作用を通じてデバイスによる音声出力の音量を調整している、ノッチ・タスクバー６３が図示されている。ノッチ・タスクバーがノッチに隣接する左右の空間の両方を占有する実施形態では、ノッチ・タスクバーの一方側は、通知を提供するためだけに使用されてもよく、それに対して、ノッチ・タスクバーの反対側は、ユーザ入力を受信するためにだけに使用されてもよい。
【００３４】
ある特定の実施形態では、ノッチ・タスクバーのタッチセンサ部分とのユーザの相互作用は、ディスプレイ画面上に表示されるコンテンツに影響を及ぼしてもよい。例えば、明るさ調整部分との相互作用は、ディスプレイ画面の明るさに影響を及ぼしてもよい。別の例として、ノッチ・タスクバーは、相互作用させたときに、表示された文書の一部分の外観を調整し得る文書編集部分（例えば、太字、下線、斜体など）を含んでもよい。さらに別の例では、ノッチ・タスクバーの通知部分が相互作用的である状態では、通知に対するタッチ入力を受信したことに応答して、実施形態は、通知に関連付けられた情報をデバイスの主ディスプレイ画面上に表示してもよい。例えば、通知がソーシャルメディア投稿通知である場合に、ノッチ・タスクバーの通知部分においてユーザ選択入力を受信したことに応答して、実施形態は、関連するソーシャルメディアアプリケーションを開いて、ソーシャルメディア投稿を表示してもよい。
【００３５】
実施形態では、ノッチ・タスクバーは、常にオンであってもよく、または、代替的に、デバイスのディスプレイ画面が有効であるときにのみ作動してもよい。デバイスのディスプレイ画面が有効でないときにノッチ・タスクバーが有効である状態では、ユーザは、ノッチ・タスクバーにさらに入力を与えてもよい。例えば、デバイスによって曲が再生されている場合に、ユーザは、曲の音量を調整する、別の曲にスキップするなどのためにノッチ・タスクバー上の音量調整部分と相互作用してもよい。実施形態では、ノッチ・タスクバーは、タッチセンサ式の反射型ディスプレイであってもよい。そのような例では、ノッチ・タスクバーは、デバイスがオフ状態にあるときでもノッチ・タスクバーの部分を表示するように構成されてもよい。
【００３６】
実施形態は、様々な異なるソースのうちの１つからタスク（例えば、設定の調整、通知の表示、別のアクションの実行など）を実行するための指示を受信してもよい。例えば、指示は、ユーザが与える入力（例えば、ノッチ・タスクバーへのユーザタッチ入力など）から得られてもよく、または別のソース（例えば、ノッチ・タスクバーと通信して通知などを提供するデバイス上で稼働するアプリケーションなど）から受信されてもよい。３０１において、タスクを実行するための指示を受信したことに応答して、実施形態は、３０２において対応するタスクを特定し、３０４においてタスクを実行してもよい。３０２において、タスクを特定できないことに応答して、実施形態は、さらなるアクションをとらなくてもよい。
【００３７】
したがって、本明細書で説明する種々の実施形態は、従来のタスクバーに対する技術の改善を表す。本明細書で説明する技術を使用して、実施形態は、ノッチ・タスクバーを使用して１つまたは複数のタスクを実行してもよい。ノッチ・タスクバーは、デバイスのノッチに隣接する空間に存在してその空間を利用してもよく、かつ基盤となるＯＳから独立して動作してもよい。この自由度によって、顧客に最大の価値をもたらすと製造業者が考える相互作用部分について製造業者がノッチ・タスクバーをカスタマイズすることが可能となり得る。追加的に、ノッチ・タスクバーの独立性に起因して、ノッチ・タスクバー上の部分は、基盤となるＯＳの設計要件を気にせずに選択および設計されてもよい。
【００３８】
当業者によって認識されるように、種々の態様は、システム、方法、またはデバイスプログラム製品として具体化されてもよい。よって、態様は、完全にハードウェアの実施形態または概して本明細書ではすべて「回路」、「モジュール」もしくは「システム」と称され得るソフトウェアを含む実施形態の形をとってもよい。さらに、態様は、デバイス可読媒体によって具体化されたデバイス可読プログラムコードを有する１つまたは複数のデバイス可読媒体（複数可）内に具体化されたデバイスプログラム製品の形をとってもよい。
【００３９】
本明細書で説明する種々の機能が、プロセッサによって実行される非信号記憶デバイスなどのデバイス可読記憶媒体に記憶された命令を使用して実施され得ることが留意されるべきである。記憶デバイスは、例えば、システム、装置、またはデバイス（例えば、電子、磁気、光学、電磁、赤外線、もしくは半導体システム、装置、もしくはデバイス）あるいは前述の任意の好適な組み合わせであってもよい。記憶デバイス／媒体のより具体的な例としては、以下のもの、すなわち、携帯用コンピュータディスケット、ハードディスク、ランダムアクセスメモリ（Random  Access  Memory：ＲＡＭ）、読み取り専用メモリ（Read-Only  Memory：ＲＯＭ）、消去可能プログラマブル読み取り専用メモリ（ＥＰＲＯＭもしくはフラッシュメモリ）、光ファイバ、携帯用コンパクトディスク読み取り専用メモリ（Compact  Disc  Read-Only  Memory：ＣＤ−ＲＯＭ）、光記憶デバイス、磁気記憶デバイス、または前述の任意の好適な組み合わせが挙げられる。本文書の文脈では、記憶デバイスは信号ではなく、また「非一時的」とは、信号媒体を除くすべての媒体を含む。
【００４０】
記憶媒体上に具体化されたプログラムコードは、限定されるものではないが、無線、有線、光ファイバケーブル、ＲＦなど、または前述の任意の好適な組み合わせを含む、任意の適切な媒体を使用して送信されてもよい。
【００４１】
動作を行うためのプログラムコードは、１つまたは複数のプログラミング言語の任意の組み合わせで記述されてもよい。プログラムコードは、完全に単一のデバイス上で、部分的に単一のデバイス上で、スタンドアロン型ソフトウェアパッケージとして、部分的に単一のデバイス上で、部分的に別のデバイス上で、または完全に他のデバイス上で実行されてもよい。場合により、デバイスが、ローカルエリアネットワーク（Local  Area  Network：ＬＡＮ）または広域ネットワーク（Wide  Area  Network：ＷＡＮ）を含む、任意の種類の接続またはネットワークを通じて接続されてもよく、あるいは、接続が、他のデバイスを通じて（例えば、インターネットサービスプロバイダを利用したインターネットを通じて）、無線接続、例えば近距離無線通信を通じて、またはＵＳＢ接続などでの、有線接続を通じて行われてもよい。
【００４２】
例示的な実施形態は、種々の例示的な実施形態による例示的な方法、デバイスおよびプログラム製品を図示する、図を参照しながら本明細書において説明される。アクションおよび機能がプログラム命令によって少なくとも部分的に実施され得ることが理解されるであろう。これらのプログラム命令は、デバイスのプロセッサ、専用の情報処理デバイス、または機械を生産するための他のプログラム可能なデータ処理デバイスに提供されてもよく、その結果、デバイスのプロセッサによって実行される、命令が、指定された機能／動作を実施する。
【００４３】
図では特定のブロックが使用され、ブロックの特定の順序が図示されているが、これらが非限定的な例であることは注目に値する。図示の明示的な例は、説明の目的でのみ使用されており、限定的なものと解釈されるべきではないので、ある特定の文脈では、２つ以上のブロックが組み合わされてもよく、ブロックが２つ以上のブロックに分割されてもよく、またはある特定のブロックが、必要に応じて、並べ替えられるかまたは再編成されてもよい。
【００４４】
本明細書で使用される場合、単数形「１つの（ａ）」および「１つの（ａｎ）」は、別段の明確な指示がない限り、複数形「１つまたは複数の」を含むものとして解釈されてもよい。
【００４５】
本開示は、例示および説明の目的で提示されているが、網羅的または限定的であることを意図するものではない。多くの修正および変形が当業者には明らかであろう。例示的な実施形態は、原理および実際の用途を解説するため、ならびに、企図される特定の使用に適合するような種々の変更を伴う種々の実施形態に関する開示内容を当業者が理解できるようにするために、選択および説明されている。
【００４６】
したがって、図示の例示的な実施形態は、添付の図を参照しながら本明細書において説明されているが、本説明が限定されるものではないことと、本開示の範囲または趣旨から逸脱することなく、種々の他の変更および修正が当業者によって影響され得ることが理解されるべきである。
【符号の説明】
【００４７】
４１，５１  ノッチ
４２  空間
５３，６３  ノッチ・タスクバー
５４，５５  部分
６６  ユーザ
６７  音量スライダ
１００  回路システム
１１０  チップ（ソフトウェア＋プロセッサ）
１２０  追加のデバイス
１３０  電力管理回路
１４０  電池
１５０  ＷＷＡＮ送受信器
１６０  ＷＬＡＮ送受信器
１７０  タッチ画面／コントローラ
１８０  フラッシュメモリ
１９０  ＳＤＲＡＭ
２１０  チップセット
２２０  コア／メモリ制御
２２２  プロセッサ
２２６  メモリコントローラハブ
２３２  ＬＶＤＳインターフェース
２３４  ＰＣＩエクスプレスインターフェース
２３６  別個のグラフィック
２４０  メモリ
２５０  Ｉ／Ｏコントローラハブ
２５１  ＳＡＴＡインターフェース
２５２  ＰＣＩ−Ｅインターフェース
２５３  ＵＳＢインターフェース
２５４  ネットワークインターフェース
２５５  ＧＰＩＯインターフェース
２６１  電力管理インターフェース
２６２  クロックジェネレータインターフェース
２６３  音声インターフェース
２６４  ＴＣＯインターフェース
２６５  システム管理バスインターフェース
２６６  ＳＰＩフラッシュ
２６８  ＢＩＯＳ
２７０  ＬＰＣインターフェース
２７４  ファームウェアハブ
２７５  ＢＩＯＳサポート
２７６  メモリ
２７７  ＲＯＭ
２７８  フラッシュ
２７９  ＮＶＲＡＭ
２９０  ブートコード
２９４  スピーカ
【図１】
2020068034.tif 000003
【図２】
2020068034.tif 000004
【図３】
2020068034.tif 000005
【図４】
2020068034.tif 000006
【図５】
2020068034.tif 000007
【図６】
2020068034.tif 000008